(57)【要約】【課題】駐輪時の車両の導入を円滑かつ容易とし、車両導入労力を軽減し、車両支持フレームの傾斜角度も小さく設定することができ、構造が簡単で取り付けも容易なストッパー手段をもつ駐輪装置を提供する。【解決手段】二輪車１の前後の車輪１ａ，１ｂを直線上に起立保持可能とされた車両支持フレーム２と、車両支持フレーム２の車両導入口側端部に倒伏可能で常時起立状態に枢軸１１を介して枢着され、路面６と車両支持フレーム２との間を橋渡しするガイド部材を有し、かつ、この橋渡し姿勢で車両支持フレーム２上の車両の後退を阻止するストッパー手段５とを具備し、前記ストッパー手段５は、前記車輪１ａ，１ｂの前進方向への通過時に回動倒伏して車輪１ａ，１ｂの通過を許容するが、車輪１ａ，１ｂの後退方向には回動倒伏せず起立状態を保持するように構成されている。【選択図】      図１
2004268724.tif 000002
【特許請求の範囲】
【請求項１】
二輪車の前後の車輪を直線上に起立保持可能とした車両支持フレームと、車両支持フレームの車両導入口側端部に倒伏可能で常時起立状態に枢着され、路面と車両支持フレームの下端との間を橋渡しするガイド部材を有し、かつ、この橋渡し姿勢で車両支持フレーム上の車両の後退を阻止するストッパー手段とを具備し、前記ストッパー手段は、前記車輪の前進方向への通過時に回動倒伏して車輪の通過を許容するが、車輪の後退方向には回動倒伏せず起立状態を保持するように構成されていることを特徴とする駐輪装置。
【請求項２】
前記ストッパー手段は、自重により起立復帰可能に構成されていることを特徴とする請求項１記載の駐輪装置。
【請求項３】
前記ストッパー手段は、車両支持フレームの車両導入口側端部に上下方向へ揺動自在に枢着され、路面と車両支持フレームとの間を橋渡しするガイド板部材と、このガイド板部材の枢着位置より車両支持フレーム側の位置に一体に起立設置された車輪後退阻止用のストッパー板部材とで構成されていることを特徴とする請求項１又は２に記載の駐輪装置。
【請求項４】
前記ガイド板部材は、底板部分と、この底板部分の両側に起立形成された車輪の両側面を案内規制する側壁部分とからなり、かつ、両側壁部分の間の間隔を、路面側が広く、車両支持フレーム側に向けて狭くなるテーパー案内面乃至円弧状案内面とされていることを特徴とする請求項３に記載の駐輪装置。
【請求項５】
前記車両支持フレームは、傾斜配置され、かつ、傾斜下端側に車両導入口側が設定され、この傾斜下端側が、路面より高く設定されており、これに対応して、車両支持フレームの傾斜角度が小さく設定されていることを特徴とする請求項１〜４の何れかに記載の駐輪装置。
【発明の詳細な説明】
【０００１】
【発明の属する技術分野】
本発明は、自転車等の二輪車を車両を起立保持する駐輪装置に関するものである。
【０００２】
【従来の技術】
従来、二輪車を傾斜姿勢で起立保持する駐輪装置が公知である（例えば、特許文献１参照）。
また、上下二段の駐輪装置の上段側の車両支持フレームの後端に車両後退動阻止用の係止部材を起倒可能に設けたものが公知である（例えば、特許文献２参照）。
さらに、車両支持フレームの傾斜下端側に揺動自在の車輪踏み板と車輪ポケットとからなるストッパー手段を設置したものも公知である（例えば、特許文献３参照）。
【０００３】
【特許文献１】
特開平１１−３４９４８号公報
【特許文献２】
特開平１１−２４７４７８号公報（第３頁右欄００１７、００１８段落、及び図４参照）
【特許文献３】
登録実用新案第３０４５５８３号公報（第１７頁００５３段落〜第１８頁００５４段落及び図７、図８、図９参照）
【０００４】
【発明が解決しようとする課題】
しかしながら、従来の特許文献１のものは、車両支持フレームの傾斜下端側に設けられている車輪後退動阻止用のストッパーが固定式とされているため、駐輪する際、先ず、車両の前輪を持ち上げて上記ストッパーを乗り越えさせ、続いて、車両支持フレームの傾斜に沿って前輪を押し上げ、次に、後輪を持ち上げて上記ストッパーを再び乗り越えさせなければならないため、前後の車輪を導入させる際、２回車両を持ち上げる必要があり、煩瑣であると共に、相当の労力が必要であった。
【０００５】
また、従来の特許文献２のものは、係止部材が線材を複雑に屈曲させて製作する必要があるため、製作が容易ではなく、しかも係止状態への復帰にばねを使用する必要があり、組み付けに手数を要し、構造が複雑となるのみならず、車両支持フレームに車両を導入する際、橋渡し案内する機能がないため、車両導入が不円滑となる等の点で問題があった。
また、従来の特許文献３のものは、車輪踏み板自体には車両後退方向の逆止作用が無いため、駐輪中の車両に外力が後退方向に加わると、車輪踏み板が容易に回動して車両が車両支持フレームから脱落する恐れがある点で問題があった。
【０００６】
そこで、本発明は、従来のストッパーの上記問題点に鑑み、駐輪時の車両の導入を円滑かつ容易とし、車両導入労力を軽減し、車両支持フレームの傾斜角度も小さく設定することができ、構造が簡単で取り付けも容易なストッパー手段をもつ駐輪装置を提供するようにしたものである。
【０００７】
【課題を解決するための手段】
この技術的課題を解決するための本発明の技術的手段は、二輪車の前後の車輪を直線上に起立保持可能とした車両支持フレームと、この車両支持フレームの車両導入口側端部に倒伏可能で常時起立状態に枢着され、路面と車両支持フレームの下端との間を橋渡しするガイド部材を有し、かつ、この橋渡し姿勢で車両支持フレーム上の車両の後退を阻止するストッパー手段とを具備し、前記ストッパー手段は、前記車輪の前進方向への通過時に回動倒伏して車輪の通過を許容するが、車輪の後退方向には回動倒伏せず起立状態を保持するように構成されていることを特徴としている。
【０００８】
本発明の上記構成によれば、駐輪時、先ず、前輪を路面から車両支持フレームに導入させる際、ストッパー手段のガイド部材の橋渡し作用によって軽快円滑に行うことができ、この車両導入方向への前輪の通過時、ストッパー手段が倒伏して前輪の通過を可能とし、前輪の通過後、ストッパー手段が起立復帰し、続いて、後輪を路面から車両支持フレームに導入させる際、再びストッパー手段のガイド部材の橋渡し作用によって軽快円滑に行うことができ、この車両導入方向への後輪の通過時、ストッパー手段が倒伏して後輪の通過を可能とし、後輪の通過後、ストッパー手段が起立復帰して後輪の後退を阻止させることができる。従って、本発明の上記構成によれば、駐輪時の車両支持フレームへの車両の導入を円滑かつ容易とし、車両導入労力を軽減し得ると共に、車両支持フレームの傾斜角度も小さく設定することができ、構造が簡単で取り付けも容易なストッパー手段をもつ駐輪装置を提供することができる。
【０００９】
また、本発明の前記ストッパー手段は、自重により起立復帰可能に構成されていることを特徴としている。
本発明の上記構成によれば、ばね手段等が不要であり、ストッパー手段の取付け構造を一層簡単化することができる。
また、本発明の前記ストッパー手段は、車両支持フレームの車両導入口側端部に上下方向へ揺動自在に枢着され、路面と車両支持フレームとの間を橋渡しするガイド板部材と、このガイド板部材の枢着位置より車両支持フレーム側の位置に一体に起立設置された車輪後退阻止用のストッパー板部材とで構成されていることを特徴としている。
【００１０】
本発明の上記構成によれば、ストッパー手段の構成が簡単化され、製作及び取付けを容易化することができる。
また、本発明の前記ガイド板部材は、底板部分と、この底板部分の両側に起立形成された車輪の両側面を案内規制する側壁部分とからなり、かつ、両側壁部分の間の間隔を、路面側が広く、車両支持フレーム側に向けて狭くなるテーパー案内面乃至円弧状案内面とされていることを特徴としている。
本発明の上記構成によれば、駐輪時、前後の車輪を路面から車両支持フレームに導入させる際、当初の導入角度がずれていても、ガイド板部材の両側壁部分によって案内規制されて修正されるため、車両を正規姿勢に矯正して導入させ、駐輪させることができる。
【００１１】
また、本発明の前記車両支持フレームは、傾斜配置され、かつ、傾斜下端側に車両導入口側が設定され、この傾斜下端側が、路面より高く設定されており、これに対応して、車両支持フレームの傾斜角度が小さく設定されていることを特徴としている。
本発明の上記構成によれば、車両支持フレームへの車両の導入労力を一層軽減することができる。
【００１２】
【発明の実施の形態】
以下、本発明の実施の形態を図面に基づいて説明する。
図１は本発明の駐輪装置の実施の一形態を示すものである。本発明の駐輪装置は、図１に示すように、自転車１を傾斜姿勢で駐輪保持する車両支持フレーム２と、この車両支持フレーム２の傾斜上端側の両側面に起立設置される側面支持ガイド部材３と、この側面支持ガイド部材３の上部前面に設置される前部ストッパー部材４と、前記車両支持フレーム１の傾斜下端側の車両導入口側端部に設置されるストッパー手段５とを主たる構成としている。
【００１３】
車両支持フレーム２は、路面６上に載置される前側基部フレーム７及び後側基部フレーム８に前部脚部材９及び後部脚部材１０を介して前部が高く後部が低い傾斜状態に取付け保持されている。
上記車両支持フレーム２は、自転車１の前輪１ａ及び後輪１ｂを同一直線上に保持させるために、上面中央に直線状のレール溝２ａが全長に亘って形成されている。このレール溝２ａの溝幅は、自転車１の前輪１ａ及び後輪１ｂのタイヤ幅乃至リム幅より僅かに広く設定されている。
【００１４】
側面支持ガイド部材３は、車両支持フレーム２の傾斜上端側の両側面に起立設置されており、車両支持フレーム２に導入される自転車１の前輪１ａを両側から支持してハンドル１ｃの回動及び車両の転倒を防止させるために設置されている。
前部ストッパー部材４は、側面支持ガイド部材３の上部前面に固着されるもので、平面視形状は略Ｕ字形をなし、車両支持フレーム２に導入される自転車１の前輪１ａが当接することによって導入前端限界を規制させるために設置されている。
【００１５】
車両支持フレーム２のレール溝２ａ内底部には、複数個のローラ２ｂが適宜の間隔で回転自在に設置されている。このローラ２ｂは、自転車１の前輪１ａに鍵を具備するタイプの自転車１を導入する時、前もって前輪ａの鍵を掛けておかないと、導入後では、隣接する自転車１が接近して存在するために鍵が掛けられないという事情があり、そのような場合、鍵の掛かった前輪１ａの導入を容易にするために設置されているものである。
また、車両支持フレーム２のレール溝２ａの前端付近底部には、水平配置される車両支持フレーム２に導入された前輪１ａの後退を阻止させるためのストッパー用ローラ２ｃが前記ローラ２ｂより溝底から若干高い位置に設置されている。なお、本実施形態に示す車両支持フレーム２は、水平配置する場合と傾斜配置する場合とに併用するものを示しており、上記ローラ２ｃは、車両支持フレーム２が傾斜配置される場合には、殆ど関係がない。
【００１６】
ストッパー手段５は、車両支持フレーム２が傾斜配置される場合の後輪１ｂの後退を阻止させるために設置されるものである。このストッパー手段５は、車両支持フレーム２の車両導入口側端部となる傾斜下端側に枢軸１１を介して上下方向へ揺動自在に枢着され、路面６と車両支持フレーム２の下端との間の落差を傾斜案内路として橋渡しするガイド板部材５ａと、このガイド板部材５ａの枢着位置より車両支持フレーム２側の位置に一体に起立設置された車輪後退阻止用のストッパー板部材５ｂとで構成されている。
【００１７】
上記ストッパー手段５は、ガイド板部材５ａが自重により枢軸１１を中心として回動して、その後端が路面６に当接し、路面６と車両支持フレーム２の下端との間の落差を傾斜案内路として橋渡しする状態を常時保持するように構成されており、この時、ストッパー板部材５ｂが車両支持フレーム２上の自転車１の後退を阻止する起立状態にあるように構成されている。そのために、ガイド板部材５ａとストッパー板部材５ｂとは、側面視で略く字形をなす形状とされ、両部材間の角度は、１２０°前後の鈍角とするのが好ましい。
【００１８】
上記ストッパー手段５の枢着構造は、ガイド板部材５ａとストッパー板部材５ｂとの屈曲境界部に軸受用パイプ５ｃを固着し、この軸受用パイプ５ｃに枢軸１１となるボルトを貫通して車両支持フレーム２の後部脚部材１０に、図２の（Ａ）に示すように、取付けられている。後部脚部材１０の両側には、取付ブラケット１０ａが後方へ向けて延長形成されており、ストッパー手段５の枢着位置と車両支持フレーム２の下端との間には、図２の（Ｂ）に示すように、ストッパー板部材５ｂの倒伏回動を許容する隙間１２が形成されている。但し、この隙間１２は、ストッパー板部材５ｂの倒伏回動端を車両支持フレーム２の下端で行わせ得る程度のものとされている。
【００１９】
また、ストッパー手段５は、図３の（Ａ）〜（Ｄ）に示すように、自転車１の前輪１ａ又は後輪１ｂの導入時、車輪が路面６から傾斜案内路となるガイド板部材５ａの上に乗り移って前進し、ストッパー板部材５ｂに当たると、このストッパー板部材５ｂが車輪の前進力によって枢軸１１を中心として前方に回動倒伏し、この時、ガイド板部材５ａも同時に回動上昇して車輪を車両支持フレーム２側に導入し易くし、これによって、車輪の通過を許容し、車輪がストッパー板部材５ｂを踏み越えて通過後にはガイド板部材５ａが自重で下方へ回動復帰し、これによってストッパー板部材５ｂが車輪の後退を阻止する位置に起立復帰するように構成されている。また、ストッパー手段５は、車輪の後退方向への移動時には、ガイド板部材５ａの後端が路面６に当接しているため、ストッパー板部材５ｂが倒伏回動することが阻止されており、駐輪中の自転車１に後退方向の外力が加わっても、自転車１が車両支持フレーム２から脱落することはない。
【００２０】
上記ガイド板部材５ａは、図２の（Ａ）（Ｂ）に示すように、底板部分５ａ１と、この底板部分５ａ１の両側に起立形成された車輪の両側面を案内規制する側壁部分５ａ２とからなり、かつ、両側壁部分５ａ２の間の間隔を、路面６側が広く、車両支持フレーム２側に向けて狭くなるテーパー案内面乃至円弧状案内面とされている。この構成によって、自転車１を車両支持フレーム２に導入する際、車輪の向きに多少のずれがあっても、このずれを案内修正して導入させることができ、自転車１の導入が容易となる。
【００２１】
上記車両支持フレーム２は、この種の駐輪装置においては、できるだけ多くの自転車１を小スペース内に効率良く駐輪させるために、図４の（Ａ）（Ｂ）に示すように、前後の基部フレーム７、８に車両支持フレーム２を直接設置して、路面６に対して水平に配置するもの（この場合、ストッパー手段５は不要のため省略されている）と、前後の脚部材９、１０を介して路面６に対して傾斜して配置するものとを交互に配列して、隣接する自転車１のハンドル１ｃや荷籠１ｄ同士の干渉を回避している。この関係で、傾斜配置される側の車両支持フレーム２の傾斜上端の高さ位置はある程度決められているが、傾斜下端の高さ位置は特に決められておらず、従って、車両支持フレーム２の車両導入口側端部となる傾斜下端側を、路面６より高く設定すると、車両支持フレーム２の傾斜角度を小さく設定することが可能（図は約１５°の傾斜角度としている）となり、それだけ自転車１の導入労力を軽減できることになる。このように車両支持フレーム２の傾斜下端の高さを路面６より高く設定すると、路面６と車両支持フレーム２との落差が大きくなり通常では自転車１の導入の支障となるが、本発明のストッパー手段５においては、ガイド板部材５ａを一体に設けているため、このガイド板部材５ａで上記落差を橋渡しする傾斜案内路を形成させることができ、自転車１の導入を円滑容易にすることができる。
【００２２】
本発明の駐輪装置の実施形態は、以上の構成からなり、次にその動作を図３の（Ａ）〜（Ｄ）を参照しつつ説明する。
駐輪時、自転車１の前輪１ａを、図３の（Ａ）に示すように、路面６から傾斜案内路となるガイド板部材５ａの上に乗せて前進させる。この時、ガイド板部材５ａの両側壁部分５ｂ２の間の間隔を、図２の（Ａ）に示すように、路面６側が広く、車両支持フレーム２側に向けて狭くなるテーパー案内面乃至円弧状案内面とされているので、自転車１を車両支持フレーム２に導入する際、車輪の向きに多少のずれがあっても、このずれを案内修正して導入させることができ、自転車１の導入が容易となる。そして、前輪１ａがストッパー板部材５ｂに当たると、このストッパー板部材５ｂが自転車１の前輪１ａの前進力によって、図３の（Ｂ）及び（Ｃ）に示すように、枢軸１１を中心として前方に回動倒伏し、この時、ガイド板部材５ａも同時に回動上昇し、ガイド板部材５ａの後端で前輪１ａを持ち上げて車両支持フレーム２側に回動導入させる。これによって、前輪１ａの導入が容易に行われる。また、同時に、ストッパー板部材５ｂが前方に倒伏するため、前輪１ａがこれを踏み越えて容易に通過する。そして、前輪１ａがストッパー板部材５ｂを踏み越えて通過後には、図３の（Ｄ）に示すように、ガイド板部材５ａが自重で下方へ回動復帰し、これによってストッパー板部材５ｂが車輪の後退を阻止する位置に起立復帰する。このストッパー板部材５ｂは、前輪１ａの後退方向への移動時には、ガイド板部材５ａの後端が路面６に当接しているため、倒伏回動することが阻止されており、駐輪中の自転車１に後退方向の外力が加わっても、自転車１が車両支持フレーム２から脱落することはない。続いて後輪１ｂを導入するが、この場合の動作は上記と同様である。
【００２３】
なお、本発明は、上記実施の形態に限定されるものではない。例えば、ストッパー手段５は、車両支持フレーム２を傾斜配置されるものだけではなく、水平配置されるものや、上下二段、或いは、多段配置されるものにも適用することができる。また、枢軸１１の取付け構造や位置も、ガイド板部材５ａが路面６に水平に当接するようにしてもよく、また、ストッパー板部材５ｂが、倒伏回動端で車両支持フレーム２のレール溝２ａの底に平行に当接するようにしてもよい。さらに、ストッパー手段５の起立復帰には、自重の代わりに、又は、自重と併用して板ばねや巻ばね、コイルスプリング等の弾性復帰部材を採用しても良い。
【００２４】
【発明の効果】
本発明によれば、駐輪時の車両導入を円滑かつ容易とし、車両導入労力を軽減し、車両支持フレームの傾斜角度も小さく設定することができ、構造が簡単で取り付けも容易なストッパー手段をもつ駐輪装置を提供することが可能となる。
【図面の簡単な説明】
【図１】本発明の駐輪装置の実施の一形態を示す概略側面図である。
【図２】（Ａ）（Ｂ）は、図１におけるストッパー手段設置部の部分拡大平面図と側面図である。
【図３】（Ａ）（Ｂ）（Ｃ）（Ｄ）は図１におけるストッパー手段の動作順序説明用側面図である。
【図４】（Ａ）（Ｂ）は本発明の駐輪装置の具体的実施形態を示す平面図と側面図である。
【符号の説明】
１    自転車（二輪車）
２    車両支持フレーム
５    ストッパー手段
５ａ  ガイド板部材
５ｂ  ストッパー板部材
６    路面
１１  枢軸
【図１】
2004268724.tif 000003
【図２】
2004268724.tif 000004
【図３】
2004268724.tif 000005
【図４】
2004268724.tif 000006